(57)【要約】    【課題】  ネクタイの中継ぎを襟裾内に位置決めしてネクタイを堅実かつ端正に結べるようにした襟付きシャツを提供する。    【解決手段】  シャツ本体１０の首廻りを囲む襟台１１の上端縁には襟１２が連続されており、襟１２が折り返されるようになっている襟付きシャツにおいて、襟台１１の背中側部分の裾と襟１２の裾とを着脱可能に連結してネクタイ２０の中継ぎを襟１２と襟台１１との間に位置決めするための連結部材を備える。  また、襟台１１の背中側部分の襟１２によって隠れる部位にネクタイ２０が挿通されてネクタイ２０の中継ぎを襟１２と襟台１１との間に位置決めするための帯状部材１９又は筒状部材を備えることもできる。【選択図】  図２
2018104834.tif 000002
【特許請求の範囲】
【請求項１】
シャツ本体（１０）の首廻りを囲む襟台（１１）の上端縁には襟（１２）が連続されており、襟（１２）が折り返されるようになっている襟付きシャツにおいて、
襟台（１１）の背中側部分の裾と襟（１２）の裾とを着脱可能に連結してネクタイ（２０）の中継ぎを襟（１２）と襟台（１１）との間に位置決めするための連結部材を備えたことを特徴とする襟付きシャツ。
【請求項２】
上記連結部材が、雌雄の釦（１３、１４）、ぼたん穴（２３）とぼたん（２２）、雌雄の面ファスナー（１５、１６）、紐穴（１７）と紐（１８）の組合せのいずれかである請求項１記載の襟付きシャツ。
【請求項３】
シャツ本体（１０）の首廻りを囲む襟台（１１）の上端縁には襟（１２）が連続されており、襟（１２）が折り返されるようになっている襟付きシャツにおいて、
襟台（１１）の背中側部分の襟（１２）によって隠れる部位にネクタイ（２０）が挿通されてネクタイ（２０）の中継ぎを襟（１２）と襟台（１１）との間に位置決めするための帯状部材（１９）又は筒状部材を備えたことを特徴とする襟付きシャツ。
【発明の詳細な説明】
【技術分野】
【０００１】
この発明は襟付きシャツに関し、特にネクタイの中継ぎを襟裾内に位置決めしてネクタイを堅実かつ端正に結べるようにした襟付きシャツに関する。
【背景技術】
【０００２】
男性が正装する場合、ワイシャツや、タキシードなどフォーマルスーツ用のシャツ（以下、単に「襟付きシャツ」という）の首元にネクタイを堅実にかつ端正に結ぶことが求められるが、堅実かつ端正にネクタイを結ぶためには結ぶ手順に習熟していることが必要である。
【０００３】
これに対し、ネクタイの結び目を保持し、ずれ止めするようにした止め具が種々提案されている（特許文献１、特許文献２、特許文献３）。
【０００４】
ところで、襟付きシャツでは首廻りを囲むように襟台を設け、襟台の上端縁に襟を縫合して折り返した構造をなしており（特許文献４）、ネクタイを結ぶ際には一旦襟を立て、その状態でネクタイを襟台に廻し、プレーンノットやウインザーノットなどの好み結び目を作った後、襟を折り返すことによって襟台と襟の間にネクタイの中継ぎを隠すことが行われている。
【先行技術文献】
【特許文献】
【０００５】
【特許文献１】特開２０１４−５４３２５号公報
【特許文献２】実開昭６１−１５５３４２号公報
【特許文献３】実開昭６１−１５５３２３号公報
【特許文献４】特開２００７−２４７０７１号公報
【発明の開示】
【発明が解決しようとする課題】
【０００６】
しかし、結び目を作って襟を折り返す際に、ネクタイの大剣と小剣との間の中継ぎの部分が襟の裾からはみ出ていることがあり、上着を脱いだ時に崩れてだらしない印象を与えるおそれがあった。
【０００７】
本発明はかかる状況においてなされたもので、ネクタイ中継ぎの部分が襟裾からはみ出るのを確実に防止できるようにした襟付きシャツを提供することを課題とする。
【課題を解決するための手段】
【０００８】
そこで、本発明に係る襟付きシャツは、本体の首廻りを囲む襟台の上端縁には襟が連続しており、該襟が折り返されるようになっている襟付きシャツにおいて、襟台の背中側部分の裾と襟裾とを着脱可能に連結してネクタイの中継ぎを襟と襟台との間に位置決めするための連結部材を備えたことを特徴とする。
【０００９】
本発明の特徴の１つは襟台の裾と襟裾を背中側で連結するようにした点にある。
これにより、襟を立てて襟台と襟との間にネクタイを廻した後、襟を折り返して襟台の裾と襟裾とを背中側で連結すると、ネクタイの中継ぎが襟の内側に位置決めされ、襟裾からはみ出ることはないので、後はネクタイの結び目を作ると、ネクタイを堅実かつ端正に結ぶことができ、しかもネクタイの中継ぎが襟裾から出ないので、上着を脱いでも端正さが損なわれることはない。
【００１０】
ここで、連結部材は雌雄の釦、ぼたん穴とぼたん、雌雄の面ファスナー（フック・ループファスナー）、紐と紐穴などの組合せを採用することができるが、連結部材に代え、帯状部材や筒状部材を襟台と襟の間にて襟台又は襟に設け、帯状部材や筒状部材にネクタイの中継ぎを挿通させるようにしても同様の作用を奏する。なお、襟の表に現れる釦やぼたんは見頃のぼたんと同じ色彩にしてファッション性を付与することもできる。
【００１１】
本発明に係る襟付きシャツは、本体の首廻りを囲む襟台の上端縁には襟が連続しており、該襟が折り返されるようになっている襟付きシャツにおいて、襟台の背中側部分襟によって隠れる部位にネクタイが挿通されてネクタイの中継ぎを襟と襟台との間に位置決めするための帯状部材又は筒状部材を備えたことを特徴とする。
【図面の簡単な説明】
【００１２】
【図１】本発明に係る襟付きシャツの好ましい実施形態を示す正面図である。
【図２】上記実施形態における襟を背中側から見た状態を示す図である。
【図３】上記実施形態における襟を立てた状態を示す背面図である。
【図４】第２の実施形態における襟を立てた状態を示す背面図である。
【図５】第３の実施形態における襟を立てた状態を示す背面図である。
【図６】第４の実施形態における襟を立てた状態を示す背面図である。
【図７】第５の実施形態における襟を立てた状態を示す背面図である。
【発明を実施するための形態】
【００１３】
以下、本発明を図面に示す具体例に基づいて詳細に説明する。図１ないし図３は本発明に係る襟付きシャツの好ましい実施形態を示す。図において、シャツ本体１０の首部には襟台１１の下端縁が縫合され、襟台１１の上端縁には襟１２が縫合され、襟１２の両端部には襟羽１２Ａが三角形状に構成されている。
【００１４】
襟１２と襟台１１との間にはネクタイ２０が挿通され、シャツ本体１０の首元にはプレーンノットやウインザーノットなどの好み結び目２１が作られている。
【００１５】
また、襟１２の裾と襟台１１の裾には雌雄の金属製釦１３、１４が本体とストッパーとで生地を挟持して嵌め合わせかしめることなどによって取付けられ、金属製の釦１３、１４を相互に嵌合させることによって連結されるようになっている。
【００１６】
ネクタイ２０を結ぶ場合、襟１２を立てて襟台１１と襟１２との間にネクタイ２０を廻し、ネクタイ２０の中継ぎを背中側に位置させた後、襟１２を折り返して雌雄の釦１３、１４を相互に嵌合させ、襟台１１の裾と襟１２裾とを背中側で連結し、ネクタイ２０の結び目２１を作ればよい。
【００１７】
すると、ネクタイ２０の中継ぎが釦１３、１４によって襟１２の内側に位置決めされて襟１２の下側に隠れ、襟１２の裾からはみ出ることはないので、ネクタイ２０を締めるとネクタイ２０の上側縁が折り返した襟台１１と襟１２の境界の部位に当たるまで移動し、最適な位置に位置決めされ、ネクタイ２０の結び目２１を堅実かつ端正に結ぶことができ、しかもネクタイ２０の中継ぎが襟１２の裾から出ないので、上着を脱いでも端正さを保持することができる。
【００１８】
図４は第２の実施形態を示す。図において図１ないし図３は同一符号は同一又は相当部分を示す。本例では雌雄の金属製釦１３、１４に代え、雌雄の面ファスナー１５、１６を襟１２の裾裏側及び襟台１１の裾表側に縫合などによって取付けており、面ファスナー（フック＆ループ・ファスナー）１５、１６を相互に締着させることによって第１の実施形態と同様の作用効果を奏することができる。
【００１９】
図５は第２の実施形態を示す。図において図１ないし図３は同一符号は同一又は相当部分を示す。本例では雌雄の金属製釦１３、１４に代え、襟台１１の裾に２本の紐１８を取付け、襟１２に紐穴１７をあけており、紐１８を紐穴１７に通して相互に結ぶことによって第１の実施形態の同様の作用効果を奏することができる。
【００２０】
図６は第３の実施形態を示す。図において図１ないし図３は同一符号は同一又は相当部分を示す。本例では雌雄の金属製釦１３、１４に代え、襟台１１の上部に織布製の帯状片（帯状部材）１９を縦にして両端を縫合することによって取付けており、ネクタイ２０中継ぎを帯状片１９の下側に挿通することによって第１の実施形態の同様の作用効果を奏することができる。
【００２１】
図７は第４の実施形態を示す。図において図１ないし図３は同一符号は同一又は相当部分を示す。本例では雌雄の金属製釦１３、１４に代え、ぼたん２２とぼたん穴２３を採用しており、ぼたん２２をぼたん穴２３に嵌入させることによって第１の実施形態の同様の作用効果を奏することができる。
【００２２】
なお、上記の例ではいわゆるレギュラータイを例に説明したが、蝶ネクタイについても同様に適用できる。
【符号の説明】
【００２３】
１０      シャツ本体
１１      襟台
１２      襟
１３、１４      雌雄の金属製釦
１５、１６      雌雄の面ファスナー
１７      紐穴
１８      紐
１９      帯状片
２２      ぼたん
２３      ぼたん穴
２０      ネクタイ
２１      結び目
【図１】
2018104834.tif 000003
【図２】
2018104834.tif 000004
【図３】
2018104834.tif 000005
【図４】
2018104834.tif 000006
【図５】
2018104834.tif 000007
【図６】
2018104834.tif 000008
【図７】
2018104834.tif 000009